(57)【要約】【課題】音響を用いてスマートフォンなどのユーザが使用する携帯端末装置に各種情報を表示することのできる情報提供システムを提供する。【解決手段】音響信号に変調された識別情報を音声として放音する放音装置と、情報通信ネットワークと、情報通信ネットワークに接続され、識別情報に基づいて、情報通信ネットワークに接続されたコンテンツサーバにアクセスするためのアドレス情報を割り出す識別情報解決サーバと、放音装置が放音した音声を収音する収音部、収音した音声から識別情報を復調する復調部、復調された識別情報を識別情報解決サーバに送信してアドレス情報を取得する識別情報解決部および取得したアドレス情報を用いてコンテンツサーバにアクセスするネットワークアクセス部を備えた携帯端末装置とを有する。【選択図】図１
2012155706.tif 000002
【特許請求の範囲】
【請求項１】
音響信号に変調された識別情報を音声として放音する放音装置と、
情報通信ネットワークと、
前記情報通信ネットワークに接続され、前記識別情報に基づいて、前記情報通信ネットワークに接続されたコンテンツサーバにアクセスするためのアドレス情報を割り出す識別情報解決サーバと、
前記放音装置が放音した音声を収音する収音部、収音した音声から前記識別情報を復調する復調部、復調された識別情報を前記識別情報解決サーバに送信して前記アドレス情報を取得する識別情報解決部、および、取得したアドレス情報を用いて前記コンテンツサーバにアクセスするネットワークアクセス部を備えた携帯端末装置と、
を有する情報提供システム。
【請求項２】
前記識別情報解決サーバは、前記識別情報とともに前記携帯端末装置から送信される位置情報に基づいて前記アドレス情報を割り出すサーバであり、
前記携帯端末装置は、自己の位置に関する情報である位置情報を取得する位置取得部をさらに備え、
前記携帯端末装置の識別情報解決部は、前記復調された識別情報および前記位置取得部によって取得された位置情報を前記識別情報解決サーバに送信して前記アドレス情報を取得する
請求項１に記載の情報提供システム。
【請求項３】
前記識別情報解決サーバは、前記識別情報とともに時刻の情報に基づいて前記アドレス情報を割り出すサーバであり、
前記携帯端末装置は、前記音声を収音した時刻または前記識別情報を前記識別情報解決サーバに送信する時刻を計測する時計をさらに備え、
前記携帯端末装置の識別情報解決部は、前記復調された識別情報および前記時計によって計測された時刻の情報を前記識別情報解決サーバに送信して前記アドレス情報を取得する
請求項１に記載の情報提供システム。
【請求項４】
前記放音装置は放送受信装置であり、
前記音声は、放送の番組または宣伝広告の音声として放送局から送信されてくる音声を含み、
前記識別情報解決サーバは、受信した識別情報に基づき、前記番組または前記宣伝広告に関するコンテンツを表示するコンテンツサーバにアクセスするためのアドレス情報を割り出すものである
請求項１乃至請求項３のいずれかに記載の情報提供システム。
【請求項５】
前記放音装置は、施設の内部、外部または近傍に設置されるスピーカを有し、
前記識別情報解決サーバは、受信した識別情報に基づき、前記施設に関するコンテンツを表示するコンテンツサーバにアクセスするためのアドレス情報を割り出すものである
請求項１乃至請求項４のいずれかに記載の情報提供システム。
【請求項６】
音響信号に変調された識別情報を含む音声を収音する収音部と、
収音した音声から前記識別情報を復調する復調部と、
復調された識別情報を情報通信ネットワークを介して識別情報解決サーバに送信して前記情報通信ネットワークに接続されたコンテンツサーバのアドレス情報を取得する識別情報解決部と、
取得したアドレス情報を用いて前記情報通信ネットワークを介して前記コンテンツサーバにアクセスするネットワークアクセス部と、
を備えた携帯端末装置。
【請求項７】
収音した音声から識別情報を復調する携帯端末装置と情報通信ネットワークを介して通信し、前記携帯端末装置から前記識別情報を受信する受信部と、
受信された識別情報に基づいて、前記情報通信ネットワークに接続されたコンテンツサーバにアクセスするためのアドレス情報を割り出す識別情報解決部と、
を備えた識別情報解決サーバ。
【請求項８】
コンピュータを、
音響信号に変調された識別情報を含む音声を収音する収音手段、
収音した音声から前記識別情報を復調する復調手段、
復調された識別情報を情報通信ネットワークを介して識別情報解決サーバに送信して前記情報通信ネットワークに接続されたコンテンツサーバのアドレス情報を取得する識別情報解決手段、
取得したアドレス情報を用いて前記情報通信ネットワークを介して前記コンテンツサーバにアクセスするネットワークアクセス手段、
として機能させるプログラム。
【発明の詳細な説明】
【技術分野】
【０００１】
この発明は、音響を用いて各種の情報を提供する情報提供システム、および、このシステムに用いられる携帯端末装置、識別情報解決サーバ、プログラムに関する。
【背景技術】
【０００２】
音声とともに情報を提供するシステムとしては、たとえばテレビ放送において、映像・音声の放送にデータ放送を重畳し、テレビのリモコン操作によって各種の情報を提供するものが実用化されている。
【先行技術文献】
【特許文献】
【０００３】
【特許文献１】特開２００８−２８８６３８号公報
【発明の概要】
【発明が解決しようとする課題】
【０００４】
しかし、データ放送は、テレビ画面に表示されるのみのものであり、ユーザが持ち運んで、たとえばクーポンのように活用することができないものであった。また、データ放送は、ユーザが情報を獲得するツールとして日常使い慣れている携帯電話、スマートフォンに転送することができないものであった。
【０００５】
この発明は、音響を用いて、スマートフォンなどのユーザが使用する携帯端末装置に各種情報を表示することのできる情報提供システム、および、このシステムに用いられる携帯端末装置、識別情報解決サーバ、プログラムを提供することを目的とする。
【課題を解決するための手段】
【０００６】
請求項１の発明である情報提供システムは、音響信号に変調された識別情報を音声として放音する放音装置と、情報通信ネットワークと、前記情報通信ネットワークに接続され、前記識別情報に基づいて、前記情報通信ネットワークに接続されたコンテンツサーバにアクセスするためのアドレス情報を割り出す識別情報解決サーバと、前記放音装置が放音した音声を収音する収音部、収音した音声から前記識別情報を復調する復調部、復調された識別情報を前記識別情報解決サーバに送信して前記アドレス情報を取得する識別情報解決部、および、取得したアドレス情報を用いて前記コンテンツサーバにアクセスするネットワークアクセス部を備えた携帯端末装置と、を有することを特徴とする。
【０００７】
請求項２の発明は、請求項１の発明において、前記識別情報解決サーバは、前記識別情報とともに前記携帯端末装置から送信される位置情報に基づいて前記アドレス情報を割り出すサーバであり、前記携帯端末装置は、自己の位置に関する情報である位置情報を取得する位置取得部をさらに備え、前記携帯端末装置の識別情報解決部は、前記復調された識別情報および前記位置取得部によって取得された位置情報を前記識別情報解決サーバに送信して前記アドレス情報を取得することを特徴とする。
【０００８】
請求項３の発明は、請求項１の発明において、前記識別情報解決サーバは、前記識別情報とともに時刻の情報に基づいて前記アドレス情報を割り出すサーバであり、前記携帯端末装置は、前記音声を収音した時刻または前記識別情報を前記識別情報解決サーバに送信する時刻を計測する時計をさらに備え、前記携帯端末装置の識別情報解決部は、前記復調された識別情報および前記時計によって計測された時刻の情報を前記識別情報解決サーバに送信して前記アドレス情報を取得することを特徴とする。
【０００９】
請求項４の発明は、請求項１〜３の発明において、前記放音装置は放送受信装置であり、前記音声は、放送の番組または宣伝広告の音声として放送局から送信されてくるものであり、前記識別情報解決サーバは、受信した識別情報に基づき、前記番組または前記宣伝広告に関するコンテンツを表示するコンテンツサーバにアクセスするためのアドレス情報を割り出すものであることを特徴とする。
【００１０】
請求項５の発明は、請求項１〜４の発明において、前記放音装置は、施設の内部、外部または近傍に設置されるスピーカを有し、前記識別情報解決サーバは、受信した識別情報に基づき、前記施設に関するコンテンツを表示するコンテンツサーバにアクセスするためのアドレス情報を割り出すものであることを特徴とする。
【００１１】
請求項６の発明である携帯端末装置は、音響信号に変調された識別情報を含む音声を収音する収音部と、収音した音声から前記識別情報を復調する復調部と、復調された識別情報を情報通信ネットワークを介して識別情報解決サーバに送信して前記情報通信ネットワークに接続されたコンテンツサーバのアドレス情報を取得する識別情報解決部と、取得したアドレス情報を用いて前記情報通信ネットワークを介して前記コンテンツサーバにアクセスするネットワークアクセス部と、を備えたことを特徴とする。
【００１２】
請求項７の発明である識別情報解決サーバは、収音した音声から識別情報を復調する携帯端末装置と情報通信ネットワークを介して通信し、前記携帯端末装置から前記識別情報を受信する受信部と、受信された識別情報に基づいて、前記情報通信ネットワークに接続されたコンテンツサーバにアクセスするためのアドレス情報を割り出す識別情報解決部と、を備えたことを特徴とする。
【００１３】
請求項８の発明であるプログラムは、コンピュータを、音響信号に変調された識別情報を含む音声を収音する収音手段、収音した音声から前記識別情報を復調する復調手段、復調された識別情報を情報通信ネットワークを介して識別情報解決サーバに送信して前記情報通信ネットワークに接続されたコンテンツサーバのアドレス情報を取得する識別情報解決手段、取得したアドレス情報を用いて前記情報通信ネットワークを介して前記コンテンツサーバにアクセスするネットワークアクセス手段、として機能させることを特徴とする。
【発明の効果】
【００１４】
この発明によれば、音響信号に識別情報を重畳することによって、ユーザの携帯端末装置を所定のコンテンツサーバにアクセスさせることができ、音響を用いたプッシュ型の情報提供が可能になる。
【図面の簡単な説明】
【００１５】
【図１】この発明の実施形態である情報提供システムのブロック図
【図２】ＩＤ解決サーバのＩＤ・ＵＲＬ対応テーブルの例を示す図
【図３】音響ＩＤの重畳方式の例を示す図
【図４】情報提供システムのテレビＣＭへの適用例を示す図
【図５】スマートフォンの一部ブロック図
【図６】スマートフォンの動作を示すフローチャート
【図７】ＩＤ解決サーバのＩＤ・ＵＲＬ対応テーブルの他の例を示す図
【図８】ＩＤ解決サーバのＩＤ・ＵＲＬ対応テーブルおよびコンテンツサーバのＩＤ・コンテンツ対応テーブルの例を示す図
【図９】スマートフォンの動作を示すフローチャート
【図１０】情報提供システムを店舗に適用した場合のスピーカの配置例を示す図
【図１１】放音装置の構成例を示す図
【発明を実施するための形態】
【００１６】
図面を参照してこの発明の実施形態である情報提供システムについて説明する。図１は、情報提供システムの構成を説明する図である。
【００１７】
この情報提供システムは、本発明の放音装置であるテレビ（ＴＶ）１が、本発明の識別情報である音響ＩＤが重畳された音声を放音し、本発明の携帯端末装置であるスマートフォン２がこの音響ＩＤを用いて特定のインターネットサイト（ＵＲＬ）にアクセスして情報を獲得するというシステムである。
【００１８】
テレビ１は、テレビ放送を受信して映像を表示するとともに音声を放音する。このテレビ放送の音声に音響信号に変調されたＩＤコードである音響ＩＤが重畳されている。音響ＩＤの内容および重畳方式については後述する。音響ＩＤが重畳された音声をスマートフォン２が収音する。スマートフォン２はユーザ６が所持している。スマートフォン２には、情報提供システム用に用いられる音響ＩＤアプリケーションプログラム２００がインストールされている。音響ＩＤアプリケーションプログラム２００は、収音した音声から音響ＩＤを分離・復調し、このＩＤコードをＩＤ解決サーバ４に送信してコンテンツサーバ５のＵＲＬに変換するアプリケーションプログラムであり、携帯端末装置２の制御部と協働することにより音響ＩＤ処理部２２を構成する。この音響ＩＤ処理部２２の詳細動作は図５のフローチャートで説明する。スマートフォン２は、この音響ＩＤ処理部２２により、音声に含まれる音響ＩＤを復調し、これを情報通信ネットワーク３を介してＩＤ解決サーバ４に送信する。ＩＤ解決サーバ４は、ＩＤ・ＵＲＬ対応テーブル４０を備えており、受信した音響ＩＤを用いて、ＩＤ・ＵＲＬ対応テーブル４０を検索して対応するＵＲＬを読み出してスマートフォン２に返信する。
【００１９】
スマートフォン２は、ＩＤ解決サーバ４からＵＲＬを受信すると、スマートフォン２の標準アプリケーションプログラムであるウェブブラウザプログラム２０１を起動してウェブブラウザ２５を構成し、このウェブブラウザ２５に受信したＵＲＬを渡す。ウェブブラウザ２５は、受け取ったＵＲＬで指定されるコンテンツサーバ５にアクセスして、このＵＲＬで指定されるウェブページを表示する。ＵＲＬで指定されるウェブページは、たとえば、テレビ１でそのとき放送されているＣＭの企業や商品に関するウェブページなどである。
【００２０】
なお、ＩＤ解決サーバ４は１つであることが望ましいが、コンテンツサーバ５はコンテンツを表示する各社ごとに別々であって構わない。
【００２１】
テレビ放送において、情報提供システムは、たとえば以下のような用途で使用される。
ＣＭの企業・商品や番組に関連した商品等のクーポンを配ったり、商品情報を掲載するページへユーザを誘導したりする。ここで、番組に関連した商品とは、たとえば、番組に登場した人物が着用している服装のブランド、番組で訪れている観光地や店舗（レストランやホテルなど）などである。
【００２２】
また、スポーツ番組の放送中に、登場選手の情報を詳細に表示するページへ誘導する。さらにまた、ＴＶショッピング番組の放送中に、紹介された商品の注文・決済を行うページへ誘導する。あるいは、番組や商品のアンケートやクイズに応募するページへ誘導する。
【００２３】
このように、放送局から送信されるテレビ放送の音声は、番組やＣＭの内容に連携して提供されるコンテンツサーバのサービス内容に対応した音響ＩＤが適宜重畳されたものである。これにより、ユーザが、スマートフォン２を携帯してテレビ放送を視聴していれば、ユーザが何らの操作をしなくても特定のウェブページへ誘導することができるプッシュ型のサービスを提供することが可能になる。
【００２４】
音響ＩＤを上記のようなＵＲＬに解決するために、ＩＤ解決サーバ４には、たとえば図２に示すようなＩＤ・ＵＲＬ対応テーブル４０が設けられる。このＩＤ・ＵＲＬ対応テーブル４０には、ＩＤ、番組名（ＣＭ商品名）および提供するサービス（ＵＲＬ）が対応づけて記憶されている。
【００２５】
ここで、音響ＩＤは、テレビ１のスピーカで再生される帯域の音声のうち高音域の周波数帯域に重畳される。図３に示すようにテレビ放送の番組やＣＭに使用される音声の上限周波数は１６ｋＨｚ程度である。音響ＩＤは、この周波数以上でテレビ１のオーディオ回路やスピーカが動作する周波数帯域である１８〜２０ｋＨｚの帯域に重畳される。
【００２６】
番組やＣＭの音声に音響ＩＤを重畳する方式は種々の方式を採用可能であるが、たとえば、本出願人による国際特許出願（国際公開第２０１０／０１６５８９号パンフレット）に詳細に説明されているような、ＩＤを拡散符号で拡散して１８〜２０ｋＨｚの周波数帯域まで周波数シフトする技術が好適である。
【００２７】
ＵＲＬを短いＩＤコードに対応づけることにより、送信レートの高くない音響によるデータ送信であっても、長いＵＲＬにユーザのスマートフォン２を導くことが可能になる。また、短いＩＤコードを繰り返して送信することにより、ノイズが発生して復調不可能であっても、ノイズが低減した後にＩＤコードを受信してコンテンツを表示することが可能になり、ユーザを確実にウェブページへ誘導することができる。
【００２８】
図４は、本情報提供システムをテレビＣＭに連動させた例を示す図である。放送局が、図４（Ａ）、（Ｂ）に示す画像、および、音響ＩＤが重畳されたＣＭ音声を含むテレビＣＭを放送する。テレビ１がこのテレビＣＭを受信すると、画面に図４（Ａ）、（Ｂ）に示すような画像を表示するとともに、スピーカから音響ＩＤが重畳されたＣＭ音声（音波）６３を放音する。音響ＩＤは、ＣＭで宣伝広告されている商品を紹介するＵＲＬ（コンテンツＵＲＬ）に視聴者を誘導するものである。また、図４（Ａ）はＣＭの前半に表示される画像であり、図４（Ｂ）はＣＭの後半に表示される画像である。
【００２９】
ＣＭの前半に、図４（Ａ）に示すように、音響ＩＤアプリケーションプログラム（音響ＩＤアプリ）２００の起動を促す文言６０が画面に表示される。ユーザ６は、必要に応じて携帯端末装置２を操作して音響ＩＤアプリケーションプログラム２００を起動する。既に起動している場合、自動的に起動する場合にはユーザ６の操作は不要である。この画面表示に並行して、スピーカから音響ＩＤが重畳されたＣＭ音声６３が放音される。音響ＩＤアプリケーションプログラム２００が起動された（音響ＩＤ処理部２２が構成された）携帯端末装置２は、放音された音響ＩＤを収音し、これをＩＤコードに復調して上に説明したアクセスを開始する。ＣＭの後半には、図４（Ｂ）に示すように、検索ワードとともにインターネットで検索を促す画像６４が表示されるが、上述したように、音響ＩＤアプリケーションプログラム２００が起動された携帯端末装置２は、ユーザ６が検索ワードを入力しなくてもコンテンツＵＲＬへ到達するため、画面には「音響ＩＤアプリが自動的に検索しています」の文言６２が表示される。
【００３０】
なお、インターネットの検索サイトに検索ワードを入力して検索されるＵＲＬと、ＩＤ・ＵＲＬ対応テーブル４０で検索されるコンテンツＵＲＬは、同一であっても異なっていてもよい。音響ＩＤによって誘導されるサイト（コンテンツＵＲＬ）は、検索サイトで検索されない特別なサイトとしてもよい。
【００３１】
図４は、テレビＣＭに同期してＩＤコードを出力し、携帯端末装置２がこのＩＤコードを受信して、コンテンツＵＲＬに自動アクセスするシステムであるが、テレビＣＭに同期して出力されるＩＤコードは、スピーカから放音される音波に重畳する方式（音響ＩＤ）以外の方式で送信することも可能である。たとえば、テレビ１がＢｌｕｅｔｏｏｔｈ（登録商標）、Ｗｉ−Ｆｉ、赤外線などの送信機能を有する場合は、これらの機能を用いてＩＤコードを送信してもよい。この場合、携帯端末装置２には、テレビ１の送信方式に応じて、Ｂｌｕｅｔｏｏｔｈ（登録商標）、Ｗｉ−Ｆｉまたは赤外線などによってＩＤコードを受信するアプリケーションプログラムがインストールされる。
【００３２】
図５はスマートフォン２の本願発明に関係する部分のみを取り出した機能ブロック図である。スマートフォン２は、マイクロフォン２１、音響ＩＤ処理２２、ＵＲＬ取得部２４、ウェブブラウザ２５、ネットワーク通信部２６、ＧＰＳ測位部２７、時計２８、操作部２９を備えている。音響ＩＤ処理部２２は、音響ＩＤアプリケーションプログラム２００および制御部（コンピュータ）の協働によって実現され、ＩＤ復調部２３およびＵＲＬ取得部２４を備えている。マイクロフォン２１は、テレビ１のスピーカから放音された音響を収音する。ＩＤ復調部２３は、収音して得られた音声信号を、拡散変調に用いられた拡散符号を係数とする整合フィルタに通すことによってＩＤコードを復調する処理部である。この復調処理についても、国際公開第２０１０／０１６５８９号パンフレットに詳細に説明されている。
【００３３】
ネットワーク通信部２６は、情報通信ネットワーク３を介してＩＤ解決サーバ４やコンテンツサーバ５と通信する機能部である。ＵＲＬ取得部２４は、ネットワーク通信部２６を制御してＩＤ解決サーバ４と通信し、ＩＤ復調部２３が復調したＩＤコードを送信して所定のウェブサイトのＵＲＬを取得する機能部である。ウェブブラウザ２５は、ＵＲＬ取得部２４が取得したＵＲＬにアクセスしてウェブページを表示する。なお、ウェブブラウザ２５は、ウェブブラウザプログラム２０１と制御部（コンピュータ）との協働によって実現される。
【００３４】
ＧＰＳ測位部２７は、ＧＰＳを用いて自己の位置を測定し、位置情報としてＵＲＬ取得部２４に入力する。また、時計２８は、音響ＩＤを含んだ音声の収音時、または、ＩＤ解決サーバ４との通信時の時刻を計測して時刻情報としてＵＲＬ取得部２４に入力する。これらＧＰＳ測位部２７および時計２８は、後述の変形例において用いられる。また、操作部２９はたとえばタッチパネルであり、情報通信ネットワーク３との通信の許可などのユーザ６の操作を検出する。
【００３５】
図６は、スマートフォン２の音響ＩＤ処理部２２の動作を示すフローチャートである。音響ＩＤを検出しない間（ステップＳ１でＮＯ）は、ステップＳ１で待機している。音響ＩＤを検出すると（ステップＳ１でＹＥＳ）、これをＩＤコードに復調し（ステップＳ２）、復調されたＩＤコードをＩＤ解決サーバ４に送信する（ステップＳ３）。ＩＤ解決サーバ４は受信したＩＤコードに対応するＵＲＬを読み出し、これをスマートフォン２に返信する。スマートフォン２はこのＵＲＬをステップＳ４で受信すると、スマートフォン２の標準アプリケーションプログラムであるウェブブラウザプログラム２０１を起動し（ステップＳ５）、受信したＵＲＬをウェブブラウザ２５に渡して（ステップＳ６）、このＵＲＬで指定されるコンテンツサーバ５にアクセスしてウェブページを表示させる（ステップＳ７）。これにより、ユーザ６は、各種情報やクーポンを獲得することができる。
【００３６】
図６のフローチャートは、音響ＩＤを検出すると自動的に所定のＵＲＬにアクセスしてウェブページを表示する手順になっているが、ユーザ６の許可を求めて、ユーザ６によるアクセス許可の操作があったときコンテンツサーバ５にアクセスするようにしてもよい。この場合、ステップＳ３の前、ステップＳ５の前の一方または両方でユーザ６の許可を求めるようにすればよい。
【００３７】
以上は、テレビ１から放音される音響ＩＤをＵＲＬと一対一で対応させた例を示したが、１つの音響ＩＤを複数のコンテンツに対応させることも可能である。この場合、音響ＩＤを受信したスマートフォン２の位置や受信時刻に基づき、１つのＩＤに対応させるＵＲＬを振り分けるようにすればよい。
【００３８】
図７は、1つの音響ＩＤを複数のＵＲＬに対応させる場合のＩＤ・ＵＲＬ対応テーブル４０の例を示す図である。同図（Ａ）は、１つのＩＤ「００００」を位置情報に基づいて４つのＵＲＬに振り分けるＩＤ・ＵＲＬ対応テーブル４０の例を示している。位置情報は、スマートフォン２から音響ＩＤとともにＩＤ解決サーバ４に送られてくる。スマートフォン２はＧＰＳ測位部２７により自己の位置を正確に測定することができる。ＩＤ解決サーバ４は、スマートフォン２から受信した位置情報に基づき、そのスマートフォン２がどの地域に位置しているかを割り出し、その地域に応じたクーポンのＵＲＬを送信する。
【００３９】
なお、位置情報の取得は、ＧＰＳ測位部２７による測位以外で取得することも可能である。たとえば、スマートフォン２が情報通信ネットワーク３にアクセスアクセスしたアクセスポイントの位置をＩＤ解決サーバ４が取得して位置情報として用いることも可能である。また、アクセスエリアごとに異なるＩＤ解決サーバ４にアクセスし、各アクセスエリアのＩＤ解決サーバ４がそれぞれ独自にＩＤとＵＲＬを対応づけていてもよい。
【００４０】
また、図６（Ｂ）は、１つのＩＤ「００００」を時間帯に基づいて４つのＵＲＬに振り分けるＩＤ・ＵＲＬ対応テーブル４０の例を示している。時刻情報は、スマートフォン２からＩＤ解決サーバ４に対して送ってもよく、ＩＤ解決サーバ４がスマートフォン２から音響ＩＤを受信した時刻を時間情報として用いてもよい。スマートフォン２からＩＤ解決サーバ４に時刻情報を送信する場合、その送信時刻を時刻情報としてもよく、テレビ１（放音装置）から音響ＩＤを受信した時刻を時刻情報としてもよい。ＩＤ解決サーバ４は、時刻情報がどの時間帯に属しているかを割り出し、その時間帯に応じたクーポンのＵＲＬを送信する。
【００４１】
以上の実施形態では、ＩＤ解決サーバ４がコンテンツやクーポンを表示するウェブページ（コンテンツサーバ５）のＵＲＬを直接返信する構成になっているが、より細かい振り分けが可能な構成することも可能である。たとえば、ＩＤ解決サーバ４はＩＤの受信に応じてコンテンツサーバ５のポータルＵＲＬを返信し、スマートフォン２は、このポータルＵＲＬにアクセスして再度ＩＤを送信することにより、目的のコンテンツに到達するＵＲＬを獲得できるようにしてもよい。この場合、ポータルＵＲＬはウェブサービスのＵＲＬではなく、アクセス振り分け振分処理リソースのＵＲＬ（ｔｅｌｎｅｔなど）である。これにより、コンテンツサーバ５において、さらに細分化されたコンテンツの提供が可能になる。なお、この場合において、アクセス振り分け処理リソースを提供するサーバをコンテンツサーバ５と分けて別のサーバとしてもよい。
【００４２】
以下、図８、図９を参照して、この実施形態について説明する。この実施形態の説明において、先に説明した実施形態とハードウェア構成は同一であるため、ハードウェアの説明は省略する。
【００４３】
図８（Ａ）は、ＩＤ解決サーバ４に設けられるＩＤ・ＵＲＬ対応テーブル４０を示す図、図８（Ｂ）は、コンテンツサーバ５のアクセス振り分け処理で用いられるＩＤ・コンテンツ対応テーブル５０を示す図である。図８（Ａ）において、ＩＤ・ＵＲＬ対応テーブル４０には、ＩＤとコンテンツサーバ５のポータルＵＲＬとが対応づけて記憶されている。また図８（Ｂ）において、ＩＤ・コンテンツ対応テーブル５０には、ＩＤ、番組名（ＣＭ商品名）および提供するコンテンツ（クーポンや情報）のＵＲＬが対応づけて記憶されている。
【００４４】
図９は、上述した音響ＩＤアプリケーション２００によるスマートフォン２の動作を示すフローチャートである。音響ＩＤを検出しない間（ステップＳ１１でＮＯ）は、ステップＳ１１で待機している。音響ＩＤを検出すると（ステップＳ１１でＹＥＳ）、これをＩＤコードに復調し（ステップＳ１２）、復調されたＩＤコードをＩＤ解決サーバ４に送信する（ステップＳ１３）。ＩＤ解決サーバ４は受信したＩＤコードに対応するコンテンツサーバ５のポータルＵＲＬを読み出し、これをスマートフォン２に返信する。スマートフォン２はこのポータルＵＲＬをステップＳ１４で受信すると、受信したポータルＵＲＬにアクセスして再度ＩＤを送信する（ステップＳ１５）。コンテンツサーバ５は、受信したＩＤコードに応じたコンテンツ（クーポン、情報など）のＵＲＬを送信する。これにより、スマートフォン２は、送信したＩＤコードに対応するＵＲＬを受信する（ステップＳ１６）。そして、受信したＵＲＬのコンテンツタイプに応じて処理を実行する（ステップＳ１７）。例えば、ＵＲＬがクーポンのＵＲＬの場合は、このＵＲＬにアクセスしてクーポン画像を表示する（ステップＳ２１）。クーポン画像はウェブページではなく画像データとしてサーバに保存されており、音響ＩＤ処理部２２は、ｆｔｐやｔｅｌｎｅｔでこの画像データをダウンロードしてディスプレイに表示する。すなわち、ステップＳ１７において、ＵＲＬのスキームがｆｔｐやｔｅｌｎｅｔであれば、コンテンツタイプがクーポンであると判断することができる。この方式を採用することで、有価証券的な性質を持つクーポンのセキュリティを、ウェブページに登録する場合に比べて高く維持することができる。
【００４５】
また、ＵＲＬが情報（ｈｔｔｐ）のＵＲＬの場合は、スマートフォン２の標準アプリケーションであるウェブブラウザプログラム２０１を起動し（ステップＳ１８）、受信したＵＲＬをウェブブラウザ２５に渡して（ステップＳ１９）、このＵＲＬにアクセスしてウェブページを表示させる（ステップＳ２０）。
これにより、ユーザ６は、クーポンや各種の情報を獲得することができる。
【００４６】
なお、ユーザ６によるアクセス許可の操作があったときコンテンツサーバ５にアクセスするようにする場合、ステップＳ１３の前、ステップＳ１５の前の一方または両方でユーザ６の許可を求めるようにすればよい。
【００４７】
また、１つの音響ＩＤを複数のコンテンツに対応させる場合、図７（Ａ）、（Ｂ）に示したテーブルをＩＤ・コンテンツ対応テーブルとしてコンテンツサーバ５に持てば良い。
【００４８】
以上はテレビ１の音声に音響ＩＤを重畳させる例について説明したが、放音装置はテレビ１に限定されない。たとえば、ラジオ受信機であってもよい。また、小売店舗等の施設に設置されたスピーカを利用してもよい。施設としては、店舗等の商業施設に限らず、公共施設、民間施設、集合住宅、事務所施設等の各種施設に適用が可能である。
たとえば、小売店舗の店頭（店舗近傍）または店内に設置されたスピーカから放音される呼び込み音声や音楽（ＢＧＭ）に音響ＩＤを重畳し、店舗近傍を通り掛かる顧客や店舗に入店した顧客に、クーポンや情報を提供するなどのサービスに適用することが可能である。要するに、サービスの提供に対応して音を放音する装置であればよい。この場合において、音響は、一般に電波と異なり到達距離が短いため、音響ＩＤは、スピーカ１６を設置した店舗の近傍のみで受信される。これにより、店舗の前を通り掛かった顧客や入店した顧客等の比較的狭い目視可能な領域の対象者に限定して、クーポンや情報を提供することができる。
【００４９】
この場合、放音装置のスピーカ１６は、たとえば、図１０（Ａ）〜（Ｃ）に示すような形態で、店舗近傍または店内に設置すればよい。図１０（Ａ）は、通路または店舗の天井にスピーカ１６を設置する形態である。図１０（Ｂ）は、通路または店舗の壁面にスピーカ１６を設置する形態である。また、図１０（Ｃ）は、スピーカ１６が埋め込まれた掲示板９を店舗の前に設置する形態である。ただし、スピーカ１６の設置形態はこれに限定されない。
【００５０】
図１０のスピーカ１６を備えた放音装置４は、図１１に示すような構成である。放音装置８は、ＩＤコードメモリ１１、変調部１２、呼び込み音声再生部１３、合成部１４、増幅器１５および上記スピーカ１６を備えている。ＩＤコードメモリ１１には所定のコンテンツ（ＵＲＬやクーポン）に対応づけられる音響ＩＤが記憶されている。変調部１２は、ＩＤコードを空気などの媒質の振動である音波として放音可能な周波数帯域の信号に変調する処理部である。変調部１２の変調方式は種々の方式を用いることが可能であるが、この実施形態では、ノイズ耐性を向上させるために、ＩＤコードで拡散符号を位相変調し、この位相変調された拡散符号を非可聴帯域まで周波数シフトして放音するようにしている。この技術は、本出願人による国際特許出願（国際公開第２０１０／０１６５８９号パンフレット）に詳細に説明されている。呼び込み音声再生部１３は、店舗の名称などをアナウンスする音声、ＣＭソングなどの音楽を再生する機能部である。合成部１４は、拡散変調されたＩＤコードと呼び込み音声を加算合成する機能部である。増幅器１５は合成部１４から入力された音声を適当な電力まで増幅してスピーカ１６に供給する。スピーカ１６は増幅器１５から入力された音声信号を音響として放音する。ここで、増幅器１５の出力電力は、この放音装置８のカバーエリアまで音響が到達し、それ以上のエリアへ音響が到達しないような電力に、設置場所の広さやノイズの程度に応じて適宜設定すればよい。
【００５１】
以上の実施形態において、スマートフォン２が本発明の携帯端末装置に対応する。ＩＤ解決サーバ４が本発明の識別情報解決サーバに対応する。コンテンツサーバ５のＵＲＬが本発明のアドレス情報に対応する。なお、以上の実施形態において、携帯端末装置としてスマートフォン２を例示しているが、携帯端末装置はスマートフォン２に限定されない。
【００５２】
上述した各実施形態における携帯端末装置２の音響ＩＤ処理部２２は、制御部と音響ＩＤアプリケーションプログラム２００との協働によって実現される機能部であり、この音響ＩＤアプリケーションプログラム２００は、コンピュータ読み取り可能な記録媒体に記録した状態で提供し得るものである。コンピュータ読み取り可能な記憶媒体としては、磁気記録媒体（磁気テープ、磁気ディスク（ＨＤＤ、ＦＤ）など）、光記録媒体（光ディスク（ＣＤ、ＤＶＤ）など）、光磁気記録媒体、半導体メモリなどを適用することが可能である。また、上記のプログラムは、インターネットのような情報通信ネットワーク経由でダウンロードさせることも可能である。
【符号の説明】
【００５３】
１  テレビ（放音装置）
２  スマートフォン（携帯端末装置）
３  情報通信ネットワーク
４  ＩＤ解決サーバ
５  コンテンツサーバ
６  顧客
７  放音装置
１６  スピーカ
４０  ＩＤ・ＵＲＬ対応テーブル
【図１】
2012155706.tif 000003
【図２】
2012155706.tif 000004
【図３】
2012155706.tif 000005
【図４】
2012155706.tif 000006
【図５】
2012155706.tif 000007
【図６】
2012155706.tif 000008
【図７】
2012155706.tif 000009
【図８】
2012155706.tif 000010
【図９】
2012155706.tif 000011
【図１０】
2012155706.tif 000012
【図１１】
2012155706.tif 000013